(57)【要約】【課題】本発明は、ブルーライトを低減しつつ、照明用ランプに適した明るさ、演色性、色温度を有する白色光が得られる白色ＬＥＤ素子を提供すること、および該白色ＬＥＤ素子を複数個、配線基板上に配列・搭載した白色ＬＥＤユニットを提供することを課題とする。【解決手段】青色発光ＬＥＤと黄色蛍光体を組み合わせた白色ＬＥＤ素子に赤色発光ＬＥＤを設けると共に、青色発光ＬＥＤおよび赤色発光ＬＥＤをそれぞれ別の電源に接続し、青色発光ＬＥＤに供給される電流と、赤色発光ＬＥＤに供給される電流との比を、１：０．３〜０．６とすることにより、ブルーライトを低減できると共に、照明用ランプに適した明るさ、演色性、色温度を有する白色光が得られる白色ＬＥＤ素子を提供できる。さらに、この白色ＬＥＤ素子を複数個、配線基板上に配列・搭載して白色ＬＥＤユニットとすることにより、照明用ランプに適した光源とすることができる。【選択図】図１
2019054098.tif 000002
【特許請求の範囲】
【請求項１】
断面凹字型に形成されたパッケージの凹部の底面に、青色発光ＬＥＤおよび赤色発光ＬＥＤを配置し、透明樹脂、黄色蛍光体及び光拡散剤を含有する透明樹脂組成物で封止してなる白色ＬＥＤ素子であって、
前記青色発光ＬＥＤおよび前記赤色発光ＬＥＤがそれぞれ別の電源に接続され、
前記青色発光ＬＥＤに供給される電流と、前記赤色発光ＬＥＤに供給される電流との比を、１：０．３〜０．６とすることを特徴とする、ブルーライトを低減した白色ＬＥＤ素子。
【請求項２】
前記透明樹脂組成物の透明樹脂がシリコン樹脂であることを特徴とする、請求項１に記載の白色ＬＥＤ素子。
【請求項３】
前記透明樹脂組成物の光拡散剤が硫化亜鉛化合物（ＺｎＳ−Ａｇ）であることを特徴とする、請求項１または２に記載の白色ＬＥＤ素子。
【請求項４】
前記硫化亜鉛化合物（ＺｎＳ−Ａｇ）が、
塩化物を含む硫化亜鉛と、主要な活性剤としての硫酸マンガンと、塩化ハフニウムと、酸化亜鉛と、塩化バリウムと、塩化マグネシウムと、塩化イリジウムと、硫酸銀と、酸化ガリウムと、硫黄と、塩化ナトリウムと、を混合して、当該混合物を１２５０℃で２時間加熱した後、焼成物から残留フラックスを水洗により除去して、乾燥後、分級粉砕して粒子を一定にし、
当該一定にした粒子に、硫化亜鉛と、塩化バリウムと、塩化ナトリウムと、塩化マグネシウムと、硫酸マンガンと、ガリウムと、硫黄と、を加えて、窒素気流中７３０℃で８時間３０分熱した後再度分級粉砕し、脱イオン水で洗浄した後、酢酸で洗浄して、再度脱イオン水で洗浄した後、さらにＫＣＮで洗浄することで活性化した粒子
であることを特徴とする、請求項３に記載の白色ＬＥＤ素子。
【請求項５】
前記白色ＬＥＤ素子が表面実装型であることを特徴とする、請求項１〜４のいずれかに記載の白色ＬＥＤ素子。
【請求項６】
請求項５に記載の白色ＬＥＤ素子を、複数個、配線基板上に配列・搭載した白色ＬＥＤユニット。
【発明の詳細な説明】
【技術分野】
【０００１】
本発明は、波長がほぼ４００ｎｍ〜５００ｎｍの範囲の青色光（以下、「ブルーライト」という。）を低減した白色ＬＥＤ素子および該白色ＬＥＤ素子を複数個、配線基板上に配列・搭載した白色ＬＥＤユニットに関する。
【背景技術】
【０００２】
発光ダイオード（以下、「ＬＥＤ」という。）は、小型で効率が良く鮮やかな色の発光を示し、優れた単色性ピークを有している。ＬＥＤを用いて白色発光させる場合、例えば赤色発光ＬＥＤ、緑色発光ＬＥＤおよび青色発光ＬＥＤを近接して配置させて拡散混色を行わせる必要があるが、各ＬＥＤが優れた単色性ピークを有するため色むらが生じやすい。すなわち、各ＬＥＤからの発光が不均一で混色がうまくいかないと、色むらが生じた白色発光となってしまう。このような色むらの問題を解消するために、青色発光ＬＥＤと黄色蛍光体とを組み合わせて白色発光を得る技術が開発された。
【０００３】
青色発光ＬＥＤと黄色蛍光体を組み合わせた白色ＬＥＤ素子（以下、「従来の白色ＬＥＤ素子」ともいう。）では、図６に示すように、青色発光ＬＥＤ３からの発光と、その発光で励起され黄色を発光する黄色蛍光体５からの発光とによって白色発光を得ている。この白色ＬＥＤ素子は、１種類のＬＥＤ素子だけを用いて白色光を得るため、複数種類のＬＥＤ素子を近接させて白色発光を得る場合に生じる色むらの問題を解消することができる。しかしながら、この白色光は、図７に示すように、エネルギー強度の大きいブルーライトを多く含むことから、網膜細胞の疲労・機能低下を引き起こしやすい。
【０００４】
このような白色ＬＥＤ素子のブルーライト対策として、ブルーライトを低減するフィルムをパソコン、スマートフォンなどの画面に貼着する、眼鏡レンズの色調整によりブルーライトを低減する、ＬＥＤ電球のカバー素材に特殊塗料を添加してブルーライトを低減するなどの対策が採られている。
【０００５】
また、特許文献１〜３には、従来の白色ＬＥＤ素子に赤色ＬＥＤチップを設けて、青色ＬＥＤチップと赤色ＬＥＤチップとの発光強度比を調整することにより、任意の光色（昼光色、昼白色、白色、温白色、電球色など）を発光させることができる白色ＬＥＤ素子が開示されている。しかしながら、特許文献１〜３では、ブルーライトを低減しつつ、照明用ランプとして必要とされる明るさ、演色性、色温度を有する白色光が得られる白色ＬＥＤ素子については具体的に開示されていない。
【先行技術文献】
【特許文献】
【０００６】
【特許文献１】特開２００２−０５７３７６号公報
【特許文献２】特開２００４−０８００４６号公報
【特許文献３】特開２００７−２１４６０３号公報
【発明の概要】
【発明が解決しようとする課題】
【０００７】
従来の白色ＬＥＤ素子は、ＬＥＤを用いて白色を発光させる素子のなかで一番発光効率が高いという長所を有しているものの、上記のようにブルーライトを多く含むという短所を有しており、ブルーライトが網膜に及ぼす悪影響を防止するためには、白色ＬＥＤ素子と使用者・利用者との間に、ブルーライト低減機能を有するフィルム、眼鏡レンズ、電球カバーなどの部材を介在させる必要がある。
【０００８】
本発明者等は、従来の白色ＬＥＤ素子の上記のような長所を生かしつつ、上記のような短所を改善することについて鋭意研究・検討を重ね、本発明を成したものである。
【０００９】
すなわち、本発明の課題は、ブルーライトを低減しつつ、照明用ランプに適した明るさ、演色性、色温度を有する白色光が得られる白色ＬＥＤ素子を提供すること、および該白色ＬＥＤ素子を複数個、配線基板上に配列・搭載した白色ＬＥＤユニットを提供することにある。
【課題を解決するための手段】
【００１０】
本発明者等は、青色発光ＬＥＤと黄色蛍光体を組み合わせた白色ＬＥＤ素子に赤色発光ＬＥＤを設けると共に、青色発光ＬＥＤおよび赤色発光ＬＥＤをそれぞれ別の電源に接続し、青色発光ＬＥＤに供給される電流と、赤色発光ＬＥＤに供給される電流との比を、１：０．３〜０．６とすることにより、ブルーライトを低減することができると共に、照明用ランプに適した明るさ、演色性、色温度を有する白色光が得られる白色ＬＥＤ素子を提供できることを見出し、本発明を成したものである。さらに、本発明者等は、この白色ＬＥＤ素子を複数個、配線基板上に配列・搭載して白色ＬＥＤユニットとすることにより、照明用ランプに適した光源とできることも見出した。
【００１１】
本発明の要旨を以下に示す。
（１）断面凹字型に形成されたパッケージの凹部の底面に、青色発光ＬＥＤおよび赤色発光ＬＥＤを配置し、透明樹脂、黄色蛍光体及び光拡散剤を含有する透明樹脂組成物で封止してなる白色ＬＥＤ素子であって、
前記青色発光ＬＥＤおよび前記赤色発光ＬＥＤがそれぞれ別の電源に接続され、
前記青色発光ＬＥＤに供給される電流と、前記赤色発光ＬＥＤに供給される電流との比を、１：０．３〜０．６とすることを特徴とする、ブルーライトを低減した白色ＬＥＤ素子。
（２）前記透明樹脂組成物の透明樹脂がシリコン樹脂であることを特徴とする、（１）に記載の白色ＬＥＤ素子。
（３）前記透明樹脂組成物の光拡散剤が硫化亜鉛化合物（ＺｎＳ−Ａｇ）であることを特徴とする、（１）または（２）に記載の白色ＬＥＤ素子。
（４）前記硫化亜鉛化合物（ＺｎＳ−Ａｇ）が、
塩化物を含む硫化亜鉛と、主要な活性剤としての硫酸マンガンと、塩化ハフニウムと、酸化亜鉛と、塩化バリウムと、塩化マグネシウムと、塩化イリジウムと、硫酸銀と、酸化ガリウムと、硫黄と、塩化ナトリウムと、を混合して、当該混合物を１２５０℃で２時間加熱した後、焼成物から残留フラックスを水洗により除去して、乾燥後、分級粉砕して粒子を一定にし、
当該一定にした粒子に、硫化亜鉛と、塩化バリウムと、塩化ナトリウムと、塩化マグネシウムと、硫酸マンガンと、ガリウムと、硫黄と、を加えて、窒素気流中７３０℃で８時間３０分熱した後再度分級粉砕し、脱イオン水で洗浄した後、酢酸で洗浄して、再度脱イオン水で洗浄した後、さらにＫＣＮで洗浄することで活性化した粒子
であることを特徴とする、（３）に記載の白色ＬＥＤ素子。
（５）前記白色ＬＥＤ素子が表面実装型であることを特徴とする、（１）〜（４）のいずれかに記載の白色ＬＥＤ素子。
（６）（５）に記載の白色ＬＥＤ素子を、複数個、配線基板上に配列・搭載した白色ＬＥＤユニット。
【発明の効果】
【００１２】
本発明の白色ＬＥＤ素子は、青色発光ＬＥＤと黄色蛍光体を組み合わせた白色ＬＥＤ素子に赤色発光ＬＥＤを設けると共に、青色発光ＬＥＤおよび赤色発光ＬＥＤをそれぞれ別の電源に接続し、青色発光ＬＥＤに供給される電流と、赤色発光ＬＥＤに供給される電流との比を、１：０．３〜０．６とすることにより、ブルーライトを低減できると共に、照明用ランプに適した明るさ、演色性、色温度を有する白色光を得ることができる。
【００１３】
すなわち、本発明の白色ＬＥＤ素子は、従来の白色ＬＥＤ素子による白色発光において不足していた６００ｎｍ以上の発光スペクトルを赤色発光ＬＥＤにより補うようにし、青色発光ＬＥＤに供給される電流と赤色発光ＬＥＤに供給される電流との比を１：０．３〜０．６とすることにより、白色光に含まれるブルーライトの比率を低減できると共に、良好な演色性（Ｒａ演色性：８５以上）、太陽光に近い自然な白色（色温度：４０００〜５０００Ｋ）の白色光を得ることができる。さらに、赤色発光ＬＥＤには、青色発光ＬＥＤの電源とは別の電源から電流を供給するようにし、発光効率の低い赤色発光ＬＥＤへの電流供給によって発光効率の高い青色発光ＬＥＤへの電流供給量が低下しないようにしたため、明るさを低下させることなく（照度：７００ルクス以上）、赤色発光ＬＥＤにより、白色光に６００ｎｍ以上の発光スペクトルを補うことができる。
【００１４】
また、この白色ＬＥＤ素子を複数個、配線基板上に配列・搭載して白色ＬＥＤユニットとすることにより、照明用ランプに適した白色光を得ることができる。
【図面の簡単な説明】
【００１５】
【図１】本発明の白色ＬＥＤ素子の発光原理を示す模式図である。
【図２】本発明の白色ＬＥＤ素子の一実施形態を示す外観斜視図である。
【図３】本発明の白色ＬＥＤ素子の一実施形態を示す断面図である。
【図４】本発明の白色ＬＥＤ素子の発光スペクトルである。
【図５】本発明の白色ＬＥＤ素子を複数個、配線基板上に配列・搭載した白色ＬＥＤユニットを示す外観斜視図である。
【図６】従来の青色発光ＬＥＤと黄色蛍光体を組み合わせた白色ＬＥＤ素子の発光原理を示す模式図である。
【図７】従来の青色発光ＬＥＤと黄色蛍光体を組み合わせた白色ＬＥＤ素子の発光スペクトルである。
【図８】特許文献１〜３において用いられる光色可変ＬＥＤランプを構成する回路を模式的に示す回路図である。
【発明を実施するための形態】
【００１６】
以下、本発明の白色ＬＥＤ素子およびこの白色ＬＥＤ素子を複数個、配線基板上に配列・搭載した白色ＬＥＤユニットについて、図面も用いながら詳細に説明する。
【００１７】
本発明の白色ＬＥＤ素子の発光原理を示す模式図を図１に示す。
【００１８】
本発明の白色ＬＥＤ素子１では、断面凹字型に形成された、パッケージ２の凹部の底面に、青色発光ＬＥＤ３および赤色発光ＬＥＤ４が配置され、透明樹脂、黄色蛍光体５及び光拡散剤６を含有する透明樹脂組成物７で封止されている。
【００１９】
パッケージ２の材料としては、ポリカーボネート樹脂、ポリフェニレンサルファイド（ＰＰＳ）、液晶ポリマー（ＬＣＰ）、ＡＢＳ樹脂、エポキシ樹脂、フェノール樹脂、アクリル樹脂、ＰＢＴ樹脂などの樹脂やセラミックなどを用いることができる。本発明の白色ＬＥＤ素子は、砲弾型、表面実装型のいずれのタイプも採用できるが、図５に示すように、白色ＬＥＤ素子１を複数個、配線基板１２上に配列・搭載して白色ＬＥＤユニット１１を形成する場合には、表面実装型が好ましい。
【００２０】
青色発光ＬＥＤ３としては、窒化ガリウム系化合物の発光層を有する青色発光ＬＥＤなどを用いることができる。
【００２１】
赤色発光ＬＥＤ４としては、アルミニウム・インジウム・ガリウム・リン系、ガリウム・ヒ素・リン系、または、ガリウム・アルミニウム・ヒ素系材料の発光層を有する赤色発光ＬＥＤなどを用いることができる。
【００２２】
黄色蛍光体５は、青色発光ＬＥＤ３からの青色光の少なくとも一部を吸収し波長変換して蛍光を発する黄色のフォトルミネッセンス蛍光体であり、ユーロピウム、マンガン付活アルカリ土類オルト珪酸マグネシウム蛍光体、ユーロピウム付活アルカリ土類オルト珪酸塩蛍光体またはユーロピウム付活サイアロン蛍光体などを用いることができる。
【００２３】
光拡散剤６は、透明樹脂の透明媒体に添加して用いられる、光拡散機能を有する光拡散物質であり、透明樹脂組成物７の透明樹脂と光拡散剤６との屈折率の差が大きいほど光拡散効果が大きくなる。光拡散剤としては、透明樹脂と屈折率の異なる有機系微粒子や無機系微粒子が挙げられ、具体的には、メラミン樹脂、ＣＴＵグアナミン樹脂、ベンゾグアナミン樹脂などの有機系微粒子、硫化亜鉛化合物、チタン酸バリウム、酸化チタン、酸化アルミニウム、酸化珪素などの無機系微粒子を用いることができるが、後で説明するように、ＬＥＤから離れても照度が急激に落ちてしまうことがなく、ＬＥＤの照射方向から角度的にずれても照度が急激に落ちてしまうことのない硫化亜鉛化合物（ＺｎＳ−Ａｇ）を用いるのが好ましい。
【００２４】
透明樹脂組成物７の透明樹脂としては、電気的絶縁性を有し、青色発光ＬＥＤ３、赤色発光ＬＥＤ４などから発せられる光を透過する、シリコン樹脂、アクリル樹脂、エポキシ樹脂、フッ素樹脂などを用いることができる。
【００２５】
図６に示すような従来の白色ＬＥＤ素子の白色光は、図７に示すように、エネルギー強度の大きいブルーライトを多く含むと共に、６００ｎｍ以上の発光スペクトルが不足するが、本発明の白色ＬＥＤ素子１では、この不足している６００ｎｍ以上の発光スペクトルを赤色発光ＬＥＤにより補うことにより、図４に示すように、白色光に含まれるブルーライトの比率を低減できると共に、青色発光ＬＥＤに供給される電流と赤色発光ＬＥＤに供給される電流との比を１：０．３〜０．６とすることにより、照明用ランプに適した良好な演色性（Ｒａ演色性：８５以上）、太陽光に近い自然な白色（色温度：４０００〜５０００Ｋ）の白色光を得ることができる。
【００２６】
さらに、図２および図３に示すように、本発明の白色ＬＥＤ素子１では、青色発光ＬＥＤ３および赤色発光ＬＥＤ４がそれぞれ別の電源に接続されている。具体的には、パッケージ２の凹部に透明樹脂組成物７で封止された青色発光ＬＥＤ３は、ワイヤー１０、リードフレームＡ８、リードフレームＡ’８’を介して一つの電源に接続されており、また、パッケージ２の凹部に透明樹脂組成物７で封止された赤色発光ＬＥＤ４は、ワイヤー１０、リードフレームＢ９、リードフレームＢ’９’を介して他の電源に接続されている。
【００２７】
このように、青色発光ＬＥＤ３および赤色発光ＬＥＤ４をそれぞれ別の電源に接続することにより、発光効率の低い赤色発光ＬＥＤへの電流供給により発光効率の高い青色発光ＬＥＤへの電流供給量が低下しないようにしたため、明るさを低下させることなく（照度：７００ルクス以上）、図４に示すように、白色光に含まれるブルーライトの比率を低減することができる。
【００２８】
本発明の白色ＬＥＤ素子は、ブルーライトの比率を低減できると共に、照明用ランプに適した、明るさ、良好な演色性および太陽光に近い自然な白色の白色光を得ることができるが、これを具体的な数値で示す。表１に、赤色発光ＬＥＤ４への供給電流を一定値とし青色発光ＬＥＤ３への供給電流を変更して両者に供給する電流比を変化させた場合の、白色光の明るさ（照度：ルクス）、Ｒａ演色性および色温度（Ｋ）の数値の一例を示す。
【００２９】
【表１】
2019054098.tif 000003
【００３０】
上記表１からわかるように、本発明の白色ＬＥＤ素子は、青色発光ＬＥＤ３に供給される電流と、赤色発光ＬＥＤ４に供給される電流との比を、１：０．３〜０．６の範囲とすることにより、白色光に含まれるブルーライトの比率を低減できると共に、
〇明るさを低下させることなく（照度：７００ルクス以上）、
〇良好な演色性（Ｒａ演色性：８５以上）および
〇太陽光に近い自然な白色（色温度：４０００〜５０００Ｋ）
を有する、照明用ランプに適した白色光を得ることができる。
【００３１】
一方、特許文献１〜３に記載された白色ＬＥＤ素子は、図８に示すような回路２０において、発光強度調整手段２１ａ、２２ａの抵抗値を変え、青色ＬＥＤチップ２１および赤色ＬＥＤチップ２２に流れる電流比を調整し発光強度比を調整することにより、任意の光色（昼光色、昼白色、白色、温白色、電球色など）を得るものであるが、青色ＬＥＤチップ２１と赤色ＬＥＤチップ２２は、本件発明のようにそれぞれ別の電源に接続されているのではなく、一つの同じ電源に接続されている。
【００３２】
このため、特許文献１〜３に記載された白色ＬＥＤ素子では、発光効率の低い赤色ＬＥＤチップ２２に流れる電流量を増加させると、発光効率の高い青色ＬＥＤチップ２１に流れる電流量が減少し、白色光の明るさ（照度）が低下してしまうため、照明用の光源とするには適さないものである。
【００３３】
透明樹脂組成物７の透明樹脂としては、前記のように、シリコン樹脂、アクリル樹脂、エポキシ樹脂、フッ素樹脂などを用いることができるが、屈折率の観点からは、シリコン樹脂を用いるのが好ましい。
【００３４】
先に説明したように、光拡散剤６は、透明樹脂の透明媒体に添加して用いられる、光拡散機能を有する光拡散物質であり、光拡散剤６として硫化亜鉛化合物（ＺｎＳ−Ａｇ）を用いると、ＬＥＤから離れても照度が急激に落ちてしまうことがなく、ＬＥＤの照射方向から角度的にずれても照度が急激に落ちてしまうことがないため好ましい。
【００３５】
この光拡散剤については、特許第５７１０１２６号公報に詳しく記載されているが、塩化物を含む硫化亜鉛と、主要な活性剤としての硫酸マンガンと、塩化ハフニウムと、酸化亜鉛と、塩化バリウムと、塩化マグネシウムと、塩化イリジウムと、硫酸銀と、酸化ガリウムと、硫黄と、塩化ナトリウムと、を混合して、当該混合物を１２５０℃で２時間加熱した後、焼成物から残留フラックスを水洗により除去して、乾燥後、分級粉砕して粒子を一定にし、当該一定にした粒子に、硫化亜鉛と、塩化バリウムと、塩化ナトリウムと、塩化マグネシウムと、硫酸マンガンと、ガリウムと、硫黄と、を加えて、窒素気流中７３０℃で８時間３０分熱した後再度分級粉砕し、脱イオン水で洗浄した後、酢酸で洗浄して、再度脱イオン水で洗浄した後、さらにＫＣＮで洗浄することで活性化した粒子である硫化亜鉛化合物（ＺｎＳ−Ａｇ）である。
【００３６】
本発明の白色ＬＥＤ素子は、先に説明したように、ブルーライトの比率を低減できると共に、照明用ランプに適した、明るさ、良好な演色性および太陽光に近い自然な白色の白色光を得ることができる優れたものであるが、光拡散剤として、ＬＥＤから離れても照度が急激に落ちてしまうことがなく、ＬＥＤの照射方向から角度的にずれても照度が急激に落ちてしまうことがないとの特性を有する硫化亜鉛化合物（ＺｎＳ−Ａｇ）を光拡散剤として使用することにより、照明用ランプ用の光源としてより一層優れたものとすることができる。
【００３７】
本発明の白色ＬＥＤ素子は、先に説明したように、砲弾型、表面実装型のいずれのタイプも採用できるが、図５に示すように、白色ＬＥＤ素子１を複数個、配線基板１２上に配列・搭載して白色ＬＥＤユニット１１を形成する場合には、表面実装型が好ましい。
【００３８】
図５においては、電線Ａ１３から白色ＬＥＤユニット１１に供給された電気は、リードフレームＡ８→ワイヤー１０→青色発光ＬＥＤ３→ワイヤー１０→リードフレームＡ’８’という経路で右上の白色ＬＥＤ素子１中を流れ、同様に次々と次の白色ＬＥＤ素子１中を流れた後、電線Ａ’１３’から白色ＬＥＤユニット１１外に流される。
【００３９】
また、電線Ｂ１４から白色ＬＥＤユニット１１に供給された電気は、リードフレームＢ９→ワイヤー１０→赤色発光ＬＥＤ４→ワイヤー１０→リードフレームＢ’９’という経路で右上の白色ＬＥＤ素子１中を流れ、同様に次々と次の白色ＬＥＤ素子１中を流れた後、電線Ｂ’１４’から白色ＬＥＤユニット１１外に流される。
【００４０】
このように、本発明の白色ＬＥＤ素子を、複数個、配線基板上に配列・搭載して白色ＬＥＤユニット１１とすることにより、照明用ランプに適した白色光を得ることができる。白色ＬＥＤユニットに設けられる白色ＬＥＤ素子１の数、配置などは、必要とされる光源の照度、形状（ランプ形、蛍光灯形）など応じ、適宜設計することができる。
【００４１】
以上に説明したように、本発明の白色ＬＥＤ素子は、青色発光ＬＥＤと黄色蛍光体を組み合わせた白色ＬＥＤ素子に赤色発光ＬＥＤを設けると共に、青色発光ＬＥＤおよび赤色発光ＬＥＤをそれぞれ別の電源に接続し、青色発光ＬＥＤに供給される電流と、赤色発光ＬＥＤに供給される電流との比を、１：０．３〜０．６とすることにより、ブルーライトを低減できると共に、照明用ランプに適した明るさ、演色性、色温度を有する白色光を得ることのできる優れたものである。また、この白色ＬＥＤ素子を複数個、配線基板上に配列・搭載して白色ＬＥＤユニットとすることにより、照明用ランプに適した白色光を得ることができる。
【符号の説明】
【００４２】
１        白色ＬＥＤ素子
２        パッケージ
３        青色発光ＬＥＤ
４        赤色発光ＬＥＤ
５        黄色蛍光体
６        光拡散剤
７        透明樹脂組成物
８        リードフレームＡ
８’      リードフレームＡ’
９        リードフレームＢ
９’      リードフレームＢ’
１０      ワイヤー
１１      白色ＬＥＤユニット
１２      配線基板
１３      電線Ａ
１３’    電線Ａ’
１４      電線Ｂ
１４’    電線Ｂ’
２０      光色可変ＬＥＤランプを構成する回路
２１      青色ＬＥＤチップ
２１ａ    青色ＬＥＤチップの発光強度を調整する発光強度調整手段
２２      赤色ＬＥＤチップ
２２ａ    赤色ＬＥＤチップの発光強度を調整する発光強度調整手段
【図１】
2019054098.tif 000004
【図２】
2019054098.tif 000005
【図３】
2019054098.tif 000006
【図４】
2019054098.tif 000007
【図５】
2019054098.tif 000008
【図６】
2019054098.tif 000009
【図７】
2019054098.tif 000010
【図８】
2019054098.tif 000011